(57)【要約】【課題】  カップ部を有する衣類の着用時、腕を上げたり、下げたりするとカップワイヤーとループテープが摩擦して生じるキュッ、キュッと言う摩擦音を生じないようにする。【解決手段】  カップ部の下辺湾曲部に沿って配設される筒状のワイヤー用サポートループに収納されてバストの保形や造形を行うカップワイヤーであって、カップワイヤー１の表面に、合成樹脂被膜と融点の異なるプラスチック微粉末３や異素材の無機質微粉末３を含有した合成樹脂被膜２を設ける。【選択図】          図１
0003103450.tif 000002
【実用新案登録請求の範囲】
【請求項１】
カップ部の下辺湾曲部に沿って配設される筒状のワイヤー用サポートループに収納されてバストの保形や造形を行うカップワイヤーであって、カップワイヤーの表面に、合成樹脂被膜と融点の異なるプラスチック微粉末や異素材の無機質微粉末を含有した合成樹脂被膜を設けたことを特徴とするカップワイヤー。
【請求項２】
プラスチック微粉末はポリメタクリル酸メチル樹脂である請求項１に記載のカップワイヤー。
【請求項３】
無機質微粉末は炭酸カルシウム、硫酸バリウム、アルミナホワイト、シリカ、ケイソウ土、カオリン、タルクである請求項1に記載のカップワイヤー。  
【考案の詳細な説明】
【技術分野】
【０００１】
本考案は、ブラジャー、ブラスリップ、ボディスーツ、水着などのカップ部を有する衣類に用いられるカップワイヤーで、さらに詳しくは、キュツ、キユッといった摩擦音が生じないカップワイヤーに関するものである。
【背景技術】
【０００２】
従来から、ブラジャー、ブラスリップ、ボディスーツなどのファンデーションレオタード、水着などの乳房を支えるカップ部を有する衣類には、バストを立体的に美しく整えると同時に着用安定性を保つため、バストカップの下部周辺に沿って略半円形状のスチール線材からなるカップワイヤーが装着されている。
【０００３】
このカップワイヤーは、強い弾力性を発揮するために、一般的には高炭素鋼を平線にした断面を長方形状に形成されており、バストカップの下部周辺に沿って縫着された筒状のワイヤー用サポートループに挿入し、筒状の両端を縫製で封鎖して、中に挿入したカップワイヤーを外部に抜け出さないようにしている。
【０００４】
そのカップワイヤーは、長方形状の角断面のエッジ部でサポートループの生地を突き破らないように、また肌当りを良くすると共に、洗濯や汗などで錆が生じることがないように表面に白色の合成樹脂をコーティングし、さらに両端部には溶融樹脂を付着させて太くなるように端末加工している。（例えば、特許文献１）
【特許文献１】実公平１−２４０９０号公報
【０００５】
そして、カップワイヤーを装着された衣類を着用した時に、カップ布によりバストの高さとその形状が変形しないようになっている。すなわち、衣類の背面からの引っ張り力によりカップワイヤーが脇方向（背中方向）に流れないように、ワイヤーの弾力性と背中方向からの引っ張り力が釣り合うように設計されており、それによって保形機能と造形機能を発揮できるように図られている。
【考案の開示】
【考案が解決しようとする課題】
【０００６】
しかしながら、上記のように構成したカップワイヤーを筒状のループテープに挿入する時に、カップワイヤーの表面を被覆する合成樹脂膜が平滑になっているから、抵抗性がなく滑って挿入しにくいと言う問題点があった。
【０００７】
また、筒状のループテープにカップワイヤーを挿入したカップ部を有する衣類を着用して手や腕を上げたり、横に広げたりするとカップワイヤーがループテープ内で移動したり、あるいはループテープ生地が伸縮してカップワイヤーと摩擦し、カップワイヤーの合成樹脂被膜とループテープの内面とが面接触して滑性面となり、その時にキュツ、キユッといった摩擦音が発生する問題点があった。
【０００８】
この摩擦音は屋外など騒音の大きい所で発生しても周りの人に聞こえないが室内など静寂な場所で生じると周りの人に聞こえることから、羞恥心が働き手や腕の上げ下げするのに気づかいしなければならなかった。
【０００９】
本考案は、上記の問題点を解決することを課題として研究開発されたもので、カップワイヤーの表面を被覆する合成樹脂被覆層に微粉末を含有して凹凸にして不滑性抵抗面としループテープへの挿入を容易にすると共に、摩擦音が生じないようにしたカップワイヤーを提供することを目的とするものである。
【課題を解決するための手段】
【００１０】
上記の課題を解決し、その目的を達成する手段として、本考案は、カップ部の下辺湾曲部に沿って配設される筒状のワイヤー用サポートループに収納されてバストの保形や造形を行うカップワイヤーであって、カップワイヤーの表面に、合成樹脂被膜と融点の異なるプラスチック微粉末や異素材の無機質微粉末を含有した合成樹脂被膜を設けたことを特徴とするカップワイヤーを開発し、採用した。
【００１１】
また、上記のように構成したカップワイヤーにおいて、プラスチック微粉末はポリメタクリル酸メチル樹脂であるカップワイヤー、および無機質微粉末は炭酸カルシウム、硫酸バリウム、アルミナホワイト、シリカ、ケイソウ土、カオリン、タルクであるカップワイヤーを開発し、採用した。
【００１２】
本考案に用いられるカップワイヤーとしては、前中心部の内側端部より脇側の外側端部が少し高い概略半円形状のものであり、スチール製、ステンレス製、その他の鋼材からなる金属製のもの、あるいはニッケル−チタン合金、ニッケル−チタンクロム合金などの形状記憶合金製のものが用いられ、バストに違和感を与えることなく、適度の弾力性と剛性を有し、効果的な保持力を持ち、洗濯中にも折損することのない上記材質のものが好ましく、断面形状も特に限定されるものではなく、長方形、円形、楕円形、長円形などでも良い。
【００１３】
カップワイヤーの表面を被覆する合成樹脂としては、ポリアミド樹脂、ポリエステル樹脂、塩化ビニル樹脂などが用いられワイヤー用サポートループの生地を突き破らないように、また肌当りを良くすると共に、洗濯や汗などで錆が生じることがないようにコーティングする。
【００１４】
合成樹脂の中に含有する微粉末としては、合成樹脂と融点の異なるプラスチック微粉末を用いることができるが、中でもポリメタクリル酸メチル樹脂の架橋ポリメチルメタクリレート微粉末を用いるのが適している。また、異素材の無機質微粉末の炭酸カルシウム、硫酸バリウム、アルミナホワイト、シリカ、ケイソウ土、カオリン、タルクなども用いられる。
【００１５】
合成樹脂の中に含有する上記の微粉末の粒径は５０〜１００μが好適であり、この範囲内の粒径にすることにより微細な凹凸を形成して不滑性抵抗面を形成することができる。また、微粉末の含有量は合成樹脂分１００重量部に対して微粉末を５〜３０重量部の割合で混合されるが、その量が上限を上回ると接着性が悪くなり、下限を下回ると不滑性効果が低下するので好ましくなく、１０〜２０重量部の範囲が最も好ましい。
【考案の効果】
【００１６】
本考案は、カップワイヤーの表面を被覆する合成樹脂に、合成樹脂被膜と融点の異なるプラスチック微粉末や異素材の無機質粉末を含有していて凹凸の不滑性抵抗面に形成してあるから、カップワイヤーをサポートループに収納する時にスムーズに収納できる。また、サポートループに収納されたカップワイヤーは表面が細かい凹凸面に形成されているから、手を上げたり下げたりしても、カップワイヤーは移動しにくいため、摩擦音の発生をなくすることができ、カップ部を有する衣類を着用した時に手や腕を上げるのに気を使うことがなくなる。
【００１７】
また、合成樹脂被膜と融点の異なるプラスチック微粉末や異素材の無機質粉末を含有してあるから、表面を長期に亘って凹凸面の不滑性抵抗面に形成でき、その凹凸面が細かい不滑性抵抗面になる。                                              
【考案を実施するための最良の形態】
【００１８】
以下に、本考案の実施の形態を添付図面に基づいて説明すれば、１はカップ部の下辺に沿って湾曲するスチール製の概略半円形状のカップワイヤーで、前中心部の内側端部１ａから下側端部１ｂを通り、脇側の外側端部１ｃを内側端部１ａより少し高くなるように形成されていて、その断面形状は図２に示すように、厚さｔより幅ｗが大きい長方形状に形成されている。
【００１９】
２はカップワイヤー１の外周面に被覆されるポリアミド樹脂被膜で、そのポリアミド樹脂被膜２に架橋ポリメチルメタクリレート微粉末３を、ポリアミド樹脂１００重量部に対して１５重量部の割合で混合して、カップワイヤー１の表面にコーティングし凹凸面に形成してある。
【００２０】
このように構成した本考案の実施の形態に基づいて、その使用状態を作用、効果と共に説明すると、カップワイヤー１をブラジャーなどのカップ部の下辺湾曲部に沿って縫着されたバイアステープからなる筒状のワイヤー用サポートループ４に収納する。その時に、表面が凹凸面になっていて適度の抵抗があることからサポートループに確実に挿入できる。そして、ブラジャーを着用して手や腕を動かしても、カップワイヤー１の合成樹脂被膜２に微粉末３が含有して凹凸を形成し不滑性面になっているから、カップワイヤー１とサポートループ４は点接触となり滑りによる摩擦音が発生しなくなり着用感がよくなる。
【００２１】
以上、本考案の主要な実施の形態について説明したが、本考案は、これらの実施に限定されるものではなく、考案の目的を達成でき、且つ考案の要旨を逸脱しない範囲内で種々の設計変更が可能であり、それらも全て本考案の範囲内に包含されるものである。
【産業上の利用可能性】
【００２２】
ブラジャー、ボディスーツなどのファンデーションだけでなく、ブラスリップなどのランジェリー、レオタードヤ水着のスポーツ衣料等のバストカップを有する衣類にも利用できるものである。
【図面の簡単な説明】
【００２３】
【図１】本考案のカップワイヤーの一部切欠正面図である。
【図２】図１のＡ−Ａ線拡大断面図である。
【図３】図２の一部拡大断面図である。
【図４】ブラジャーに装着した斜視図である。
【符号の説明】
【００２４】
１  カップワイヤー      
２  合成樹脂被膜    
３  微粉末    
４  サポートループ    
【図１】
0003103450.tif 000003
【図２】
0003103450.tif 000004
【図３】
0003103450.tif 000005
【図４】
0003103450.tif 000006